(57)【要約】【課題】複数ページからなる電子文書に対して、所望のページを抽出する際に、抽出したページの処理や元文書の処理に関する作業効率を向上させる。【解決手段】マウスのドラッグ＆ドロップ操作によるドロップ位置や、キーの押下の有無等に応じてページ抽出処理方法を決定し、決定したページ抽出処理方法に基づいて抽出したページの処理や元文書の処理を自動的に実行する。【選択図】  図３
2015114879.tif 000002
【特許請求の範囲】
【請求項１】
複数ページからなる電子文書に対して、所定のページを抽出する電子文書処理システムにおいて、ドラッグ＆ドロップ操作におけるドロップ処理時の押下キーの状態や、ドロップ操作の位置に応じてページ抽出処理方法を決定する、ページ抽出処理方法決定手段（２０６）と、ページ抽出処理方法に応じてページを抽出するとともに、ページ抽出処理方法に応じてページ抽出元の文書ファイルから抽出ページの維持もしくは削除を行い、抽出ページからファイルを生成する、ページ抽出処理部（２０７）と、ページ抽出前に、対象ファイル名やページ番号の取得を行い、ページ抽出後に、抽出したページから作成したファイルの命名処理の後処理を行う、文書管理部（２０８）とを有することを特徴とする電子文書処理システム。
【請求項２】
前記文書管理部（２０８）が、ページ抽出元の文書ファイルの管理方法がデータベースの場合に、排他制御の設定や解除を自動的に行うことを特徴とする請求項１に記載の電子文書処理システム。
【発明の詳細な説明】
【技術分野】
【０００１】
本発明は、複数ページからなる電子文書に対して、所望のページを抽出するための電子文書の処理システムに関する。
【背景技術】
【０００２】
複数ページからなる電子文書に対して、所望のページを抽出する際のユーザーオペレーションを合理化したいという要望がある。
【０００３】
例えば、FAX等で受注した商品受注情報などは、一旦複数ページからなる１つの電子文書にまとめられた後、複数の担当者毎に異なる部分を割り当てることで作業分担を行っていた。
【０００４】
特許文献１には、縮小イメージの状態でページ送りを行い、所望のページの縮小イメージを表示して、際に所定のキーをしたまま、その縮小イメージをドラッグ＆ドロップすると、そのページを抜き出した新たな文書を作成する電子文書処理方法が開示されている。
【先行技術文献】
【特許文献】
【０００５】
【特許文献１】特開2004-318915号公報
【発明の概要】
【発明が解決しようとする課題】
【０００６】
しかしながら、特許文献１に開示される文書処理方法では、ページを抽出後の元文書の処理に対しては考慮されていない。
【０００７】
そのため、元文書にも抽出後のページが残ってしまい、異なる作業担当者に同一のページを抽出してしまう等のオペレーションミスや手戻りを生じることがあった。
また、作業割り当て者はどのページを抽出したかを記憶しておく必要があるため、作業負荷になっていた。
【０００８】
また縮小イメージの状態で操作するため、イメージの見間違いなどの課題もあった。
【０００９】
そこで、本発明は、複数ページからなる電子文書に対して、所望のページを抽出する際に、ページ抽出処理ならびにページ抽出後の元文書に対する作業において、作業効率を向上させることを目的とする。
【課題を解決するための手段】
【００１０】
複数ページからなる電子文書に対して、所望のページを抽出する電子文書処理システムにおいて、ドラッグ＆ドロップ操作におけるドロップ処理時の押下キーの状態や、ドロップ操作の位置に応じてページ抽出処理方法を決定する、ページ抽出処理方法決定手段（２０６）と、ページ抽出処理方法に応じてページを抽出するとともに、ページ抽出処理方法に応じてページ抽出元の文書ファイルから抽出ページの維持もしくは削除を行い、抽出ページからファイルを生成する、ページ抽出処理部（２０７）と、ページ抽出前に、対象ファイル名やページ番号等の取得を行い、ページ抽出後に、抽出したページから作成したファイルの命名処理などの後処理を行う、文書管理部（２０８）とを有することを特徴とする電子文書処理システム。
【発明の効果】
【００１１】
マウスのドラッグ＆ドロップ操作によるドロップ位置や、キーの押下の有無等に応じてページ抽出処理方法を決定し、決定したページ抽出処理方法に基づいて抽出したページの処理や元文書の処理を自動的に実行することが可能となる。
【００１２】
そのため、ページ抽出処理ならびにページ抽出後の元文書に対する作業において、作業効率を向上させることができる。
【００１３】
また、抽出対象となるページをプレビューしながら操作できるため、オペレーションミスや負荷を軽減することも可能となる。
【図面の簡単な説明】
【００１４】
【図１】本実施例の文書処理制御を実行するハードウェア（Ｈ／Ｗ）構成図
【図２】本実施例の文書処理装置の機能構成の一例を示す模式図
【図３】本実施例の基本処理を示すフローチャート
【図４】ページ抽出前処理の詳細を示すフローチャート
【図５】ページ抽出処理方法決定処理の詳細を示すフローチャート
【図６】ページ抽出処理の詳細を示すフローチャート
【図７】ページ抽出処理におけるファイル作成処理を示すフローチャート
【図８】ページ抽出後処理の詳細を示すフローチャート
【図９】抽出ページファイル命名処理の詳細を示すフローチャート
【図１０】ページ抽出処理方法が「複製型抽出」の場合のUIの例を示す模式図
【図１１】ページ抽出処理方法が「移動型抽出」の場合のUIの例を示す模式図
【図１２】ページ抽出処理方法が「削除型抽出」の場合のUIの例を示す模式図
【図１３】マウス操作中の押下キーおよびドロップ位置と抽出方法の関連付けを示すテーブル情報
【発明を実施するための形態】
【００１５】
以下、本発明を実施するための最良の形態について図面を用いて説明する。
【００１６】
（実施例１ ）
図１は本実施例にかかる文書処理制御を実行するハードウェア（Ｈ／Ｗ）構成図である。
【００１７】
コンピュータモジュール（１０１） には、キーボード（１３２）やマウス（１３３）のようなポインティングデバイスなどの入力装置がＩ／Ｏインタフェイス（１４３）を介してつながれ、また、ディスプレイ装置（１４４）も連結されている。
【００１８】
ネットワークインタフェース（１３８）は、コンピュータモジュール（１０１）を、ネットワーク接続（１０７）を介して他のコンピュータ装置につなげることができる。
【００１９】
そのネットワーク接続（１０７ ）の典型はローカルエリアネットワーク（ＬＡＮ）、あるいはワイドエリアネットワーク（ＷＡＮ）である。
【００２０】
コンピュータモジュール（１０１）は典型的な構成として、プロセッサーユニット（ＣＰＵ)（１３５）、ランダムアクセスメモリ（ＲＡＭ） やリードオンリーメモリ（ＲＯＭ）から構成されるメモリユニット（１３６）を有する。
【００２１】
また、このコンピュータモジュール（１０１）は、ビデオインタフェイス（１３７）を含むＩ／Ｏインタフェイス、キーボード（１３２）やマウス（１３３）のためのＩ／Ｏインタフェイス（１４３）、記憶装置（１３９）を有する。
【００２２】
この記憶装置（１３９） は典型的にハードディスクドライブ（ＨＤＤ）（１４０）を含む。なお、この記憶装置（１３９）には、磁気テープドライブなどの装置を含んでいても良い。
【００２３】
また、コンピュータモジュール（１０１）は、ＣＤ／ＤＶＤ−ＲＯＭドライブ（１４２）を有する。このＣＤ／ＤＶＤ−ＲＯＭドライブ（１４２）は、不図示の不揮発性のコンピュータ読み取り可能な記憶媒体であるＣＤ／ＤＶＤ−ＲＯＭに格納されたプログラムや各データを読み込む。
【００２４】
また、コンピュータモジュール（１０１）は相互接続バス（１３４）を有している。ＣＰＵ（１３５）は、相互接続バス（１３４）を介して通信を行うＩ／Ｏインタフェース（１４３）を利用する。
【００２５】
本実施例で説明されるフローチャート（後述）で示される手順を実現するためのソフトウェアプログラムは例えば記憶装置（１３９）に格納される。
【００２６】
このソフトウェアプログラムを記憶装置（１３９）からメモリユニット（１３６）にロードされ、ＣＰＵ（１３５）によって実行されることでこのフローチャートの処理が実現される。
【００２７】
または、ＣＤ／ＤＶＤ−ＲＯＭドライブ（１４２）で読み取ったＣＤ／ＤＶＤ−ＲＯＭ内に格納されたソフトウェアプログラムを読み出して、ＣＰＵ（１３５）によって実行されることで、本実施例で説明されるフローチャート（後述）を実現しても良い。
【００２８】
図２は、記憶装置（ １３９ ）に格納された本実施例における文書処理装置の各機能を実現するためのソフトウェアプログラムを、ＣＰＵ（１３５）が実行することによって実現される本実施例の文書処理装置の機能構成の一例を示した図である。
【００２９】
この文書処理装置は、後述する各処理を実行するソフトモジュールを有する。
【００３０】
なお、以下において、上述のソフトウェアプログラムがＣＰＵ１３５によって実行されたコンピュータモジュール（１０１）を文書処理装置（１０１）とする。
【００３１】
文書処理装置（１０１）は、文書処理制御部（２０１）を始めとする各ソフトモジュール（２０２〜２０７）を有する。
【００３２】
文書処理制御部（２０１）は、これら各ソフトモジュールの処理やデータフローを制御する。
【００３３】
UI部（２０２）は、オペレータからの入力や出力を処理する。プレビュー処理部（２０３）は、プレビュー画像を表示する。カーソル管理部（２０４）は、カーソル位置の抽出、判定、ならびにカーソル形状の管理を行う。文書操作管理部（２０５）は、文書の一部分の選択検知や、マウスによる文書に対するドラッグ＆ドロップ操作の検知等を処理する。
【００３４】
ページ抽出処理方法決定部（２０６）は、対象ページの抽出方法ならびに後処理を決定する。ページ抽出処理部（２０７）は、ページ抽出処理方法に応じてページ抽出および元文書および抽出ページを処理する。
【００３５】
文書管理部（２０８）は、ページ抽出元の文書ファイルの管理方法に応じて、ページ抽出の前処理や後処理を行う。また、抽出したページから作成するファイルのファイル名を命名する。
【００３６】
以下で、本実施例における文書処理装置（１０１）の処理について図３から図９のフローチャートを用いて説明する。
【００３７】
本実施例の各処理フローは、記憶装置（１３９）に記憶されたソフトウェアプログラムがＣＰＵ（１３５）により実行され、ＣＰＵ（１３５）が各ソフトモジュールとして機能することで実現される。なお、このソフトウェアプログラムが格納されているのはメモリユニット（１３６）であって、プログラムをＣＰＵ（１３５）が実行することで本実施例のフローチャートを実行しても良い。
【００３８】
まず、図３を用いて、本実施例の処理フローを説明する。S３０１にて、プレビュー処理部（２０３）は、オペレータによって選択されたページのプレビュー用画像を生成し、UI部（２０２）を介してディスプレイ装置（１４４）に表示する。
【００３９】
次に、文書操作管理部（２０５）は、プレビュー表示されているページが選択され、かつ、選択されたままマウスによってドラッグ＆ドロップされたか否かを判断する（S３０２）。
【００４０】
S３０２にて、プレビュー表示されているページの選択およびドラッグ＆ドロップ処理を検出したならば、文書管理部（２０８）は、対象文書ファイルの管理方法の相違に応じて、ページ抽出前処理を行う（S３０３）。
【００４１】
なお、ページ抽出前処理（S３０３）の詳細については、図４のフローチャートを用いて後述する。
【００４２】
また、S３０１にて、文書操作管理部（２０５）がプレビュー表示されているページ選択やドラッグ＆ドロップ処理を検出しなければ、文書処理制御部（２０１）は、S３０３以降の処理を実施しない。
【００４３】
S３０３の処理後、ページ抽出処理方法決定処理部（２０６）は、ドロップ処理時の押下キーの状態や、ドロップ先に応じてページ抽出処理方法を決定する（S３０４）。
【００４４】
なお、ページ抽出処理方法決定処理（S３０４）の詳細については、図５のフローチャートを用いて後述する。
【００４５】
次に、ページ抽出処理部（２０７）は、S３０４で決定したページ抽出処理方法に従ってページ抽出を実行する（S３０５）。なお、ページ抽出処理（S３０５）の詳細については、図６および図７のフローチャートを用いて後述する。
【００４６】
次に、文書管理部（２０８）は、ページ抽出元の文書ファイルの管理方法の相違に応じて、ページ抽出後処理を行う（S３０６）。
【００４７】
なお、ページ抽出後処理（S３０６）の詳細については、図８のフローチャートを用いて後述する。
【００４８】
＜ページ抽出前処理（S３０３）の詳細＞
ページ抽出元の文書ファイルの管理方法の相違に応じて、ページ抽出処理の前の事前処理を行う、ページ抽出前処理（S３０３）の詳細を、図４のフローチャートに示す。
【００４９】
まず、文書管理部（２０８）は、ページ抽出元の文書ファイルのファイル名を取得する（S４０１）。
【００５０】
次に、文書管理部（２０８）は、ページ抽出元の文書ファイルにおける抽出対象ページのページ番号を取得する（S４０２）。
【００５１】
次に、文書管理部（２０８）は、ページ抽出元の文書ファイルが文書管理データベースで管理されているファイルか否かを判定する（S４０３）。S４０３にて、文書管理部（２０８）は、ページ抽出元の文書ファイルが文書管理データベースで管理されているファイルであると判定した場合は、文書管理データベース上の対象ファイルに対し排他制御を開始する（S４０４）。
【００５２】
次に、文書管理部（２０８）は、ページ抽出元の文書ファイルを文書管理データベースからローカル・ファイルシステムに取得する（S４０５）。
【００５３】
次に、文書管理部（２０８）は、ローカル・ファイルシステムに取得した対象ファイルから、抽出対象ページを選択する（S４０６）。
【００５４】
また、S４０３で、文書管理部（２０８）は、ページ抽出元の文書ファイルが文書管理データベースで管理されているファイルではないと判定した場合は、排他制御を行わずに対象ファイルから抽出対象ページを選択する（S４０７）。
【００５５】
＜ページ抽出処理方法決定処理（S３０４）の詳細＞
ドロップ処理時の押下キーの状態や、ドロップ先に応じてページ抽出処理方法を決定するページ抽出処理方法決定処理（S３０４）の詳細を、図５のフローチャートに示す。
【００５６】
まず、文書操作管理部（２０５）は、マウス操作中におけるキーボード操作において、キーの押下の有無を判定する（S５０１）。
【００５７】
S５０１にて文書操作管理部（２０５）がキーの押下があると判定した場合は、文書操作管理部（２０５）は、さらに、押下されたキーの種類を判定する（S５０６）。
【００５８】
本実施例では、あらかじめ「シフトキー」と「コントロールキー」がそれぞれ、「複製型抽出」と「移動型抽出」いう抽出方法に関連付けられている（図１３（a））。
【００５９】
S５０６にて文書操作管理部（２０５）が、キーの種類を「シフトキー」と判定した場合は、ページ抽出処理方法決定部（２０６）は、キーに関連づけられた抽出方法である「複製型抽出」を選択する（S５０７）。
【００６０】
また、S５０６にて文書操作管理部（２０５）が、キーの種類を「コントロールキー」と判定した場合は、ページ抽出処理方法決定部（２０６）は、キーに関連づけられた抽出方法である「移動型抽出」を選択する（S５０８）。
【００６１】
また、S５０６にて文書操作管理部（２０５）が、有効なキー以外、すなわち、所定の抽出方法とあらかじめ関連付けられている種類のキー以外と判定した場合は、文書操作管理部（２０５）は、どこでドロップ操作がなされたかを判定する（S５０２）。
【００６２】
本実施例では、ドロップ位置に対して所定の抽出方法があらかじめ関連付けられている（図１３（b））。
【００６３】
S５０２にて、文章操作管理部（２０５）が、元文書と同一のフォルダ―にてドロップ操作がなされたと判定した場合は、ページ抽出処理方法決定部（２０６）は、ドロップ位置に関連づけられた抽出方法である「複製型抽出」を選択する（S５０３）。
【００６４】
S５０２にて、文章操作管理部（２０５）が、元文書と別のフォルダ―にてドロップ操作がなされたと判定した場合は、ページ抽出処理方法決定部（２０６）は、ドロップ位置に関連づけられた抽出方法である「移動型抽出」を選択する（S５０４）。
【００６５】
S５０２にて、文章操作管理部（２０５）が、ゴミ箱にてドロップ操作がなされたと判定した場合は、ページ抽出処理方法決定部（２０６）は、ドロップ位置に関連づけられた抽出方法である「削除型抽出」を選択する（S５０５）。
【００６６】
＜ページ抽出処理（S３０５）の詳細＞
元文書からページを抽出するページ抽出処理（S３０５）の詳細を、図６のフローチャートに示す。
【００６７】
まず、ページ抽出処理部（２０７）は、ページ抽出処理方法決定処理にて決定されたページ抽出処理方法が「削除型抽出」か否かを判定する（S６０１）。
【００６８】
S６０１にて、ページ抽出処理方法が「削除型抽出」であれば、ページ抽出処理部（２０７）は、元文書から抽出対象ページを削除し（S６０２）、元文書の抽出対象ページの次ページをプレビューペインに表示する（S６０３）。
【００６９】
図１２（a）は、作業１フォルダ（１２０１）のSample２ファイル（１２０２）の２ページ目（１２０３）が、ゴミ箱フォルダ（１２０４）にドラッグ＆ドロップされる場合の例を示している。
【００７０】
この場合は、ページ抽出処理部（２０７）はプレビュー表示していたSample２ファイル（図１２（a）１２０３）の２ページ目を削除する。
【００７１】
そして、ページ抽出処理部（２０７）はプレビューペインにSample２ファイル（１２０２）の３ページ目（図１２（b）１２０５）を表示する。
【００７２】
S６０１にて、ページ抽出処理方法が「削除型抽出」以外であれば、ページ抽出処理部（２０７）は、元文書の抽出対象ページから新規ファイルを作成する（S６０４）。なお、抽出ページファイル作成処理（S６０４）の詳細については、図７のフローチャートを用いて後述する。
【００７３】
次に、ページ抽出処理部（２０７）は、ページ抽出処理方法決定処理にて決定されたページ抽出処理方法が「複製型抽出」か「移動型抽出」かを判定する（S６０５）。
S６０５にて、ページ抽出処理方法が「複製型抽出」であれば、元文書から抽出対象ページを削除せずに、元文書の抽出対象ページのプレビューペインへの表示をそのまま継続する（S６０６）。
【００７４】
図１０（a）は、作業１フォルダ（１００１）のSample２ファイル（１００２）の２ページ目（１００３）が、同じ作業１フォルダ（１００１）にドラッグ＆ドロップされる場合の例を示している。
【００７５】
この場合は、図１０（b）に示すように、ページ抽出処理部（２０７）はSample２ファイル（１００２）の２ページ目によって新しいファイル（１００４）を作成し、作業１フォルダ（１００１）のSample４ファイルの次の位置に置く。
【００７６】
そして、ページ抽出処理部（２０７）は、Sample２ファイル（１００２）の２ページ目（１００３）をプレビューペインへそのまま継続して表示する。
【００７７】
S６０５にて、ページ抽出処理方法が「移動型抽出」であれば、元文書から抽出対象ページを削除し（S６０７）、元文書の抽出対象ページの次ページをプレビューペインに表示する（S６０８）。
【００７８】
図１１（a）は、作業１フォルダのSample２ファイル（１１０２）の２ページ目（１１０３）が、会議フォルダ（１１０１）にドラッグ＆ドロップされる場合の例を示している。
【００７９】
この場合は、図１１（b）に示すように、ページ抽出処理部（２０７）は、Sample２ファイル（１１０２）の２ページ目（１１０３）によって新しいファイルを作成し、元文書からは２ページ目（１１０３）を削除する。
【００８０】
そして、ページ抽出処理部（２０７）は、新しいファイルを会議フォルダ（１１０１）に置いた後、プレビューペインにはSample２ファイル（１１０２）の３ページ目（１１０４）を表示する。
【００８１】
＜抽出ページファイル作成処理（S６０４）の詳細＞
元文書の抽出対象ページから新規ファイルを作成する抽出ページファイル作成処理（S６０４）の詳細を、図７のフローチャートに示す。
【００８２】
まず、ページ抽出処理部（２０７）は、ドロップされた場所に新規ファイルを作成する（S７０１）。
【００８３】
次に、ページ抽出処理部（２０７）は、新規ファイルに空白ページを追加する（S７０２）。
【００８４】
次に、ページ抽出処理部（２０７）は、元文書から抽出対象ページ内の構成データを抽出する（S７０３）。
【００８５】
次に、ページ抽出処理部（２０７）は、新規ファイル側の空白ページにページ内構成データを追加する（S７０４）。
【００８６】
＜ページ抽出後処理（S３０６）の詳細＞
ページ抽出元の文書ファイルの管理方法の相違に応じて、ページ抽出処理の後の事後処理を行う、ページ抽出後処理（S３０６）の詳細を、図８のフローチャートに示す。
【００８７】
まず、文書管理部（２０８）は、抽出したページから作成したファイルのファイル名を定める（S８０１）。
【００８８】
なお、抽出ページファイル命名処理（S８０１）の詳細については、図９のフローチャートを用いて後述する。
【００８９】
次に、文書管理部（２０８）は、ページ抽出元の文書ファイルが文書管理データベースで管理されているファイルか否かを判定する（S８０２）。
【００９０】
S４０３にて、文書管理部（２０８）は、ページ抽出元の文書ファイルが文書管理データベースで管理されているファイルであると判定した場合は、ページ抽出元の文書ファイルをローカル・ファイルシステムから文書管理データベースに転送する（S８０３）。
【００９１】
次に、文書管理部（２０８）は、文書管理データベース上の対象ファイルに対し排他制御を終了する（S８０４）。
【００９２】
次に、文書管理部（２０８）は、ローカル・ファイルシステムに残っている対象ファイルを削除する（S４０５）。
【００９３】
また、S８０２で、文書管理部（２０８）が、ページ抽出元の文書ファイルは文書管理データベースで管理されているファイルではないと判定した場合は、ローカル・ファイルシステムに残っている対象ファイルに対し何もしない。
【００９４】
＜抽出ページファイル命名処理（S８０１）の詳細＞
抽出したページから作成したファイルのファイル名を定める、抽出ページファイル命名処理（S８０１）の詳細を、図９のフローチャートに示す。
【００９５】
まず、文書管理部（２０８）は、元文書ファイル名を複製して、仮の名称を作成する（S９０１）。
【００９６】
次に、文書管理部（２０８）は、仮の名称に“＿N”を付加する（S９０２）。
ここで、Nは抽出したページ番号を表す。例えば、図１０の１００４の場合は、２ページ目を抽出したので、N＝２となる。
【００９７】
次に、文書管理部（２０８）は、同一名称のファイルの存在をチェックする（S９０３）。
【００９８】
S９０３にて同一名称のファイルが存在しなければ、文書管理部（２０８）は、仮名称を本名称に決定する。S９０３にて同一名称のファイルが存在する場合は、文書管理部（２０８）は、仮の名称に対してさらに“（M）”を付加する。すなわち、以下のS９０５からS９０８までの処理を繰り返すことによって、一意のファイル名となるように名称を作成する。まず、文書管理部（２０８）は、Mに初期値２をセットする（S９０５）。
【００９９】
次に、文書管理部（２０８）は、“＿N”が付加されている仮名称に“（M）“を付加する（S９０６）。
【０１００】
次に、文書管理部（２０８）は、同一名称のファイルの存在をチェックする（S９０７）。
【０１０１】
S９０７にて同一名称のファイルが存在しなければ、文書管理部（２０８）は、仮名称を本名称に決定する。
【０１０２】
S９０７にて同一名称のファイルが存在する場合は、文書管理部（２０８）は、Mに１加算する（S９０８）。
【０１０３】
以上の処理により、マウスのドラッグ＆ドロップ操作によるドロップ位置や、キーの押下の有無等に応じてページ抽出処理方法を決定し、決定したページ抽出処理方法に基づいて抽出したページの処理や元文書の処理を自動的に実行することが可能となる。
そのため、ページ抽出処理ならびにページ抽出後の元文書に対する作業において、作業効率を向上させることができる。
【０１０４】
また、抽出対象となるページをプレビューしながら操作できるため、オペレーションミスや負荷を軽減することも可能となる。
【０１０５】
また、ページ抽出処理方法に応じてページ抽出元の文書ファイルから抽出ページの維持もしくは削除が自動的に行われることにより、元文書へのオペレーションミスも削減することが可能となる。
【０１０６】
また、ページ抽出元の文書ファイルの管理方法がデータベースなどの場合に、排他制御の設定や解除を自動的に行うため、オペレータの作業負荷を削減することが可能となる。
【符号の説明】
【０１０７】
１０１  コンピュータモジュール      １３２  キーボード      １３３  マウス
１４３  Ｉ／Ｏインタフェイス      １４４  ディスプレイ装置
１３８  ネットワークインタフェース      １０１  コンピュータモジュール
１０７  ネットワーク接続      １０７  ネットワーク接続
ＬＡＮ  ローカルエリアネットワーク      ＷＡＮ  ワイドエリアネットワーク
１３５  プロセッサーユニット（ＣＰＵ)      １３６  メモリユニット
【図１】
2015114879.tif 000003
【図２】
2015114879.tif 000004
【図３】
2015114879.tif 000005
【図４】
2015114879.tif 000006
【図５】
2015114879.tif 000007
【図６】
2015114879.tif 000008
【図７】
2015114879.tif 000009
【図８】
2015114879.tif 000010
【図９】
2015114879.tif 000011
【図１０】
2015114879.tif 000012
【図１１】
2015114879.tif 000013
【図１２】
2015114879.tif 000014
【図１３】
2015114879.tif 000015